(57)【要約】  【課題】  そこで本発明では、虫、や泥などの侵入を完全に阻止することができ、しかも、乳母車が進行する上で、安全、且つスムーズな状態に維持できる乳母車用カバーの提供を目的とする。  【解決手段】  カバー面を乳母車Ａの略全周面が囲繞可能な大きさに形成し、底部側のカバー面における、上記乳母車Ａの車輪の近傍に位置するフレームＡｂに対応する部位に、上記車輪が挿通可能な挿通部２１を形成し、上記乳母車Ａの全周面に存在するカバー面における所定の一面側に、上記乳母車Ａに対しての取り付け、又は取り外しが可能な大きさを有する開口部１６を形成し、上記開口部１６の近傍に作用する力を上記開口部１６を閉塞する方向に保つべく、該開口部１６の近傍を保持する保持手段１８，又は４３ａ，４３ｂを、該開口部１６の近傍に備えた乳母車用カバー１１，４１。  【選択図】    図１
2006111039.tif 000002
【特許請求の範囲】
【請求項１】
乳母車に被覆したとき、シート状をしたカバー面によって、その内側で乗車している乳幼児を保護する乳母車用カバーであって、
上記カバー面を上記乳母車の略全周面が囲繞可能な大きさに形成し、
底部側のカバー面における、上記乳母車の車輪の近傍に位置するフレームに対応する部位に、上記車輪が挿通可能な挿通部を形成し、
上記乳母車の全周面に存在するカバー面における所定の一面側に、上記乳母車に対しての取り付け、又は取り外しが可能な大きさを有する開口部を形成し、
上記開口部の近傍に作用する力を上記開口部を閉塞する方向に保つべく、該開口部の近傍を保持する保持手段を、該開口部の近傍に備えた
乳母車用カバー。
【請求項２】
前記挿通部における、前記乳母車の車輪の近傍に位置するフレームが挿通している以外の部位を閉塞状態に固定する固定手段を、上記挿通部の近傍に備えた
請求項１に記載の乳母車用カバー。
【請求項３】
前記カバー面をメッシュ地で形成した
請求項１、又は請求項２に記載の乳母車用カバー。
【請求項４】
前記カバー面を、撥水性を有するシート状の部材で形成した
請求項１、又は請求項２に記載の乳母車用カバー。
【請求項５】
前記保持手段を伸縮自在な弾性紐体で形成した
請求項１から請求項４のいずれか一項に記載の乳母車用カバー。
【請求項６】
前記カバー面を開閉可能とする開閉部を、上記カバー面における前面側に形成した
請求項１から請求項５のいずれか一項に記載の乳母車用カバー。
【発明の詳細な説明】
【技術分野】
【０００１】
この発明は、乳幼児を外的要因から保護するために用いられる乳母車用カバーに関し、さらに詳しくは蚊帳として用いるのに最適な乳母車用カバーに関する。
【背景技術】
【０００２】
乳母車（ベビーカー）に乗車している乳幼児を保護するために、乳母車に被覆して用いられる様々な乳母車用カバーが存在する。
【０００３】
例えば、下記特許文献１には、ベビーカー用蚊帳とよばれる乳母車用カバーが開示されている。
【０００４】
上記ベビーカー用蚊帳の構成は、通気性のよい布を乳母車に被覆可能な大きさを有した釣鐘型に形成し、該布の地面接触部分には、ゴムを入れて形成している。
【０００５】
上記構成により、乳母車用カバーは、上記地面接触部分を収縮させることによって、ベビーカーにより密着させることができる。これにより、一般に乳母車用カバーの最も隙間が生じ易いとされる乳母車用カバーの下端部（この場合、釣鐘型をした布の裾部）から蚊をはじめとする虫などの侵入を防ぐことができるという構成を採る。
【０００６】
しかし、上記構成を採るベビーカー用蚊帳は、上記地面接触部分を積極的に地面、或いは車輪に密着させる構成であるため（下記特許文献１中の図２参照）、該接触部分が車輪に巻き込むことや、砂利などに引っ掛かることにより進行の妨げになるばかりか乳母車自体が転倒するおそれもあるため、危険である。勿論、地面接触部分の位置を上げて地面や、車輪から距離を確保した場合、乳母車の底部側にはカバーが存在しなくなり、隙間が生じてしまう。このため、虫などの侵入を許容してしまうという問題を有するため、下記特許文献１に係るベビーカー用蚊帳は、実用的でないといわざるをえない。
【０００７】
【特許文献１】特開２０００−１５９１２２号公報
【発明の開示】
【発明が解決しようとする課題】
【０００８】
そこで本発明では、虫、や泥などの侵入を完全に阻止することができ、しかも、乳母車が進行する上で、安全、且つスムーズな状態に維持できる乳母車用カバーの提供を目的とする。
【課題を解決するための手段】
【０００９】
本発明の乳母車用カバーは、乳母車に被覆したとき、シート状をしたカバー面によって、その内側で乗車している乳幼児を保護する乳母車用カバーであって、上記カバー面を上記乳母車の略全周面が囲繞可能な大きさに形成し、底部側のカバー面における、上記乳母車の車輪の近傍に位置するフレームに対応する部位に、上記車輪が挿通可能な挿通部を形成し、上記乳母車の全周面に存在するカバー面における所定の一面側に、上記乳母車に対しての取り付け、又は取り外しが可能な大きさを有する開口部を形成し、上記開口部の近傍に作用する力を上記開口部を閉塞する方向に保つべく、該開口部の近傍を保持する保持手段を、該開口部の近傍に備えたことを特徴とする。
【００１０】
上記保持手段には、例えば、紐体、弾性紐体、スライドファスナ、面ファスナ、ホック、スナップなどを含む。
【００１１】
上記挿通部は、円形、四角形などの形状に開口している挿通口として形成してもよく、或いは、スリット状に形成することもできる。  
さらに、上記挿通部は、１つの車輪近傍に存在するフレームを１つだけ挿通する構成に限らず、例えば、１つの挿通部につき、２つのフレームを挿通可能とする構成であってもよい。
【００１２】
また、好ましくは上記乳母車用カバーには、前記挿通部における、前記乳母車の車輪の近傍に位置するフレームが挿通している以外の部位を閉塞状態に固定する固定手段を、上記挿通部の近傍に備えたことを特徴とする。
【００１３】
上記固定手段には、例えば、面ファスナ、ホック、スライドファスナ、スナップなどを含む。
【００１４】
また、上記乳母車用カバーは、上記カバー面をメッシュ地で形成したことを特徴とする。
【００１５】
勿論、上記乳母車用カバーは前記カバー面を、撥水性を有するシート状の部材で形成してもよい。
【００１６】
上記乳母車用カバーのカバー面をメッシュ地で形成した場合は、そのカバー面の全体をメッシュ地で形成することに限らず、少なくとも１部位をメッシュ地で形成してもよく、任意の部位に形成することができる。
【００１７】
さらに、上記乳母車用カバーは、前記カバー面を開閉可能とする開閉部を上記カバー面における前面側に形成したことを特徴とする。
【発明の効果】
【００１８】
請求項１に係る発明によれば、本発明の乳母車用カバーは、乳母車の略全周面を閉塞できるため、虫や泥、水滴、冷気などの侵入を完全に阻止して乳幼児を保護することができる。さらに、乳母車用カバー自体が車輪に巻き込まれるおそれや、砂利などに引っ掛かることもないため、乳母車用カバーが破損してしまうこともなく、衛生的である。加えて、乳母車の進行の妨げにもならないため、大人は乳母車を安全に押し進めることができる。
【００１９】
請求項２に係る発明によれば、乳母車用カバーを乳母車に被覆したとき、挿通部に存在する不要な隙間を閉塞することができるため、乳幼児をより万全に保護することができる。
【００２０】
請求項３に係る発明によれば、乳母車用カバーをメッシュ地で形成することにより、通気性を確保した状態で乳母車用カバー内に虫などの侵入を阻止することができる。このため、乳幼児を快適な状態に保つことができる。
【００２１】
請求項４に係る発明によれば、乳母車用カバーを撥水性の有するシート状の部材で形成することにより、雨か風は勿論、廃棄ガス、虫、冷気、泥などから完全に乳幼児を保護することができる。しかも、適宜、メッシュ地をした窓部などをカバー面の１部位に形成すれば、通気性も確保することができる。
【００２２】
請求項５に係る発明によれば、弾性紐体の弾性を利用して開口部を収縮させることができる。すなわち、乳母車用カバーを乳母車へ取り付けたと同時に受動的に弾性紐体が収縮するため、開口部も収縮する。このため、開口部を通じて虫などが乳母車用カバー内への侵入することを防ぐことができる。
【００２３】
さらに、請求項６に係る発明によれば、いちいち乳母車から乳母車用カバーを取り外さなくても上記開閉部を通じて乳幼児を出入りさせたり、乳幼児の世話を容易に行うこともできる。
【発明を実施するための最良の形態】
【００２４】
この発明の一実施形態を、以下図面を用いて説明する。  
【実施例１】
【００２５】
図１は、実施例１における乳母車用カバー１１を乳母車Ａに被覆した状態を示し、上記乳母車用カバー１１によって、乳母車Ａに乗車している乳児Ｂが保護されている状態を示す。
【００２６】
上記乳母車用カバー１１は、図２に示したような構成を採る。
【００２７】
具体的には、上記乳母車用カバー１１を構成しているカバー面は、メッシュ地で形成した複数のシート状のカバー部材を一体にして形成している。さらに、カバー面の表面におけるメッシュ地は、内部に蚊をはじめとする虫などが侵入しない程度の細目に形成している。  
なお、上記各カバー部材における互いの対向縁部には、帯状をした布部材１９を縫着することによりパイピング加工を施して各カバー部材を一体としている。
【００２８】
さらに、上記乳母車用カバー１１は、乳母車Ａに被覆したとき、該乳母車Ａに対して前側、及び、上側に位置する中央カバー部１２、右側に位置する右側カバー部１３、左側に位置する左側カバー部１４、さらに、底面側に位置する底面カバー部１５を備えて形成している。
【００２９】
上記乳母車用カバー１１は、乳母車Ａに被覆したとき、乳母車Ａの背面側に相当する部位からさらに後方側に突出させた長さの奥行きを備えて形成している（図２参照）。上記乳母車用カバー１１の背面側には、カバー部材が存在せず、開口部１６を形成している。該開口部１６おける周縁部には、連通用孔部１７を形成し、該連通用孔部１７の内側に紐体１８を連通している。すなわち、いわゆる巾着の開閉口と同様の構成で形成している。
【００３０】
また、底面カバー部１５においては、乳母車Ａに乳母車用カバー１１を被覆したとき、該乳母車Ａの車輪Ａａ近傍に有するフレームＡｂに対応する部位に、上記車輪Ａａを挿通可能とする大きさを有するスリット部２１を形成し、該スリット部２１の縁部には、連通用孔部２０を形成して、紐体２２を連通するとともに、ゴム紐２３も連通している（図２の要部拡大図参照）。
【００３１】
そして、中央カバー部１２における前面部１２ａは、フラップ状に開閉可能に形成している。上記前面部１２ａは、乳児Ｂが乳母車用カバー１１に対して出入り可能な大きさに開口することができる。
【００３２】
また、上記中央カバー部１２におけるフラップ状の前面部１２ａの左縁部には、直線状の一方のスライドファスナ２４ａを縫着し、上記左側カバー部１４の前縁部にも直線状の他方のスライドファスナ２４ｂを縫着している。  
さらに、上記中央部カバー部１２における前面部１２ａの下端部、及び、右端部にかけては、Ｌ字形をした一方のスライドファスナ２５ａを縫着し、上記右側カバー部１３、及び、底面カバー部１５の各前端部にかけては、Ｌ字形をした他方のスライドファスナ２５ｂを縫着している。
【００３３】
一方、中央カバー部１２の上面部１２ｂにおける、乳母車Ａに乳母車用カバー１１を被覆したとき、ハンドルＡｃに対応する部位には、ハンドル挿通用スリット部２６を形成し、該ハンドル挿通用スリット部２６の幅方向の中央側であって一方の縁部には、メッシュ地をしたカバー部材２７を、該ハンドルＡｃ挿通用スリット部２１を閉塞するようフラップ状に縫着している。
【００３４】
さらに、ハンドル挿通用スリット部２６をカバー部材２７により閉塞したとき、中央カバー部１２とカバー部材２７とが重合する部位には、面ファスナ２９ａ，２９ｂをそれぞれ添着している。
【００３５】
また、上記カバー部材２７の基部側（取り付け側）の両側には、紐体２８を接着している。
【００３６】
本実施形態における乳母車用カバー１１は、上述のように構成するものとして、以下、乳母車用カバー１１を乳母車Ａへ取り付ける手順、及び、乳母車用カバー１１が奏する効果について説明する。
【００３７】
乳母車用カバー１１の乳母車Ａへの取り付けは、まず、図２に示したように乳母車用カバー１１の背面側に位置する開口部１６の周縁部に連通している紐体１８を弛緩することにより、開口部１６を出来るだけ大きく開口させておく。
【００３８】
そして、乳母車用カバー１１を、開口部１６が下側に位置する姿勢として乳母車Ａの上方に臨ませてから乳母車Ａに覆い被せる。  
なお、このときの乳母車Ａは、乳児Ｂを乗車させていない状態である。
【００３９】
上記開口部１６の周縁部が乳母車Ａの下端部に達するまで、乳母車用カバー１１を下げ降ろす。このとき、乳母車用カバー１１の中央カバー部１２の前面部１２ａ、底面カバー部１５、中央カバー部１２の上面部１２ｂがそれぞれ乳母車Ａに対して上面側、前面側、背面側に位置する状態となる（図示せず）。
【００４０】
このため、乳母車Ａを左側から視たとき、乳母車用カバー１１を乳母車Ａに対して被覆した状態で反時計回りに徐々に約９０度、回転させていき、乳母車用カバー１１に対する乳児Ｂの取り付け方向を適切な向きに一致させる。  
この一連の手順の中で、乳母車Ａの各車輪Ａａをそれぞれの車輪Ａａに対応するスリット部２１に挿通させるとともに、さらに、ハンドルＡｃをハンドル挿通用スリット部２７に挿通させる。
【００４１】
さらに、開口部１６の周縁部における紐体１８を伸長させることで、図３に示したように開口部１６を閉塞する方向に収縮させることができる。
【００４２】
このとき、開口部１６は、図３に示したように完全に閉塞せず開口しているものの、乳母車Ａの座席部Ａｄに略相当する部位でのみ開口した状態となる。すなわち、乳母車用カバー１１は、座席部Ａｄの背面が開口部１６を閉塞した取り付け形態となるため、該開口部１６を通じて内部に虫などが侵入してくることもない。  
なお、開口部１６を収縮させたとき、垂下している紐体１８が、乳母車Ａを進行させる上で邪魔になる場合は、乳母車用カバー１１の内部に入れる、或いは、上下の紐体１８どうしを互いに結んでおけばよい（図示せず）。
【００４３】
続いて、乳母車用カバー１１の底面側については、図４（ａ）に示したように、車輪Ａａを挿通したスリット部２１はゴム紐２３の収縮によりある程度、閉塞している。上記スリット部２１の周縁部の紐体２２も上述した上記開口部１６の紐体１８の場合と同様に伸長させれば、スリット部２１をさらに閉塞することができる。
【００４４】
そして、図４（ｂ）に示したように、必要に応じて紐体２２をフレームＡｂに結びつける、或いは乳母車用カバー１１の内側に入れ込む（図示せず）などすれば、紐体２２が車輪Ａａに巻きついたりせず、邪魔になることもない。
【００４５】
最後に、ハンドル挿通用スリット部２６を閉塞すべく、フラップ状に縫着したカバー部材２７における一方の面ファスナ２９ａを開口部１６の上側の縁部における他方の面ファスナ２９ｂに係合させる。そして、紐体１８をハンドルＡｃに結び付ければ、乳母車用カバー１１の乳母車Ａへの取り付けが完了する（図３参照）。
【００４６】
以上により乳母車Ａを乳母車用カバー１１に取り付けることができる。そして、中央部カバー部１２における前面部１２ａを捲り上げて、乳児Ｂを容易に乗車させることができる。
【００４７】
図１、図５に示したように、上記乳母車用カバー１１は、乳母車Ａの背面側に有する開口部１６を除いた乳母車Ａの略全周面を閉塞できる。
【００４８】
特に、従来の乳児Ｂでは被覆することが困難であった乳母車Ａの底面側についても、車輪Ａａ近傍のフレームＡｂをスリット部２１に挿通させれば、略完全に閉塞することができる。このため、例えば、乳児Ｂの足元から虫などが侵入することがない。
【００４９】
さらに、乳母車用カバー１１は、地面に対して一定の距離を確保した状態で、乳母車Ａに取り付けることができるため、乳母車用カバー１１が車輪Ａａに巻き込まれるおそれや、砂利などに引っ掛かることもないため、乳母車用カバー１１が破損してしまうこともなく、衛生的でもある。しかも、大人は乳母車Ａを安全に押し進めることができる。
【００５０】
また、乳母車用カバー１１におけるカバー面を乳母車Ａに密着した状態で取り付けることができるとともに、紐体１８を開口部１６が収縮する方向へ付勢させることにより、乳母車用カバー１１の前面部１２ａにおけるカバー面が伸長されるため、カバー表面の皺や弛みをなくして視界を良好に保つことができる。
【００５１】
さらに、中央部カバー部１２の前面部１２ａを開閉可能に形成することで、乳母車用カバー１１を、いちいち乳母車Ａから取り外さなくても中央カバー部１２の前面部１２ａを捲くり上げて乳児Ｂを乳母車Ａから乗降させる、或いは、乳児Ｂの世話を行うなどといった作業を容易に行うことができる。
【実施例２】
【００５２】
次に、実施例２として、乳母車用カバー４１は、図６に示したように構成してもよい。ちなみに、実施例１に係る乳母車用カバー１１の構成とは、特に開口部１６周辺の構成、及びハンドル用スリット部２６の構成が異なる。
【００５３】
具体的には、第２実施例に係る乳母車用カバー４１は、乳母車Ａに被覆したとき、乳母車Ａの背面に対応する部位を開口させた開口部１６を形成しているが、該開口部１６における周縁部には、上記連通用孔部１７を形成せず、上記紐体１８も連通させずに形成している。
【００５４】
すなわち、上記開口部１６における左右各側の縁部、つまり、右側カバー部１３、及び左側カバー部１４の後端側に、フラップ状をして上記開口部１６を閉口するための閉口用フラップ部４２を形成している。
【００５５】
さらに、上記右側カバー部１３における閉口用フラップ部４２の後端部には、一方のスライドファスナ４３ａを縫着するとともに、上記左側カバー部１４における閉口用フラップ部４２の後端部には、他方のスライドファスナ４３ｂを縫着している。
【００５６】
また、上記開口部１６における上端側の縁部、すなわち、中央カバー部１２における上面部の後端部も背面側フラップ部４４を形成している。
【００５７】
上記閉口用フラップ部４２と上記背面側フラップ部４４とにおける重合部には一対の面ファスナ４５ａ，４５ｂを添着している。
【００５８】
上記構成を採れば、乳母車用カバー４１を乳母車Ａに対する取り付け、或いは取り外しを行うとき、上記一対のスライドファスナ４３ａ，４３ｂを係合する、或いは、離間するだけで容易に開口部１６の開閉操作ができるとともに、開口部１６を隙間なく閉口したい場合に特に有効である。
【００５９】
このように、この発明は、上述の実施形態の構成のみに限定されるものではなく、多くの実施の形態を得ることができる。
【００６０】
例えば、上記乳母車用カバー１１，４１は、帯状をした上記布部材１９を、自発的に発光する蓄光発光部材、或いは、外側からの入射光を反射する反射発光部材を用いて形成するなどして、暗闇でも乳母車Ａの存在を容易に確認できる構成としてもよい。
【００６１】
当然、上記乳母車用カバー１１，４１は、上述したようにカバー面をメッシュ地で形成することに限定せず、撥水性の有するシート状の素材で形成してもよい。このような構成を採れば、特に乳母車Ａの底面側を閉塞することで、蚊などの虫は勿論、冷気、地面から跳ねる泥水、砂などから乳児Ｂを保護することができる。
【００６２】
また、開口部１６を紐体１８で収縮させたとき、実施例１の乳母車用カバー１１と異なり、開口部１６が完全に閉口する構成で乳母車用カバーを構成してもよい。
【００６３】
但し、開口部１６を完全に閉塞しない構成とすれば、座席部Ａｄの背面側に対応する部位のみ開放することができるため、座席部Ａｄの通気性を確保することができる。すなわち、座席部Ａｄに着席している乳児Ｂを快適な状態とすることができるため、特に、上記乳母車用カバー１１，４１を撥水性の有する素材で形成した場合において有効である。  
勿論、上記乳母車用カバー１１，４１を撥水性の有する素材で形成した場合は、別途、メッシュ状の窓部を形成して通気性を確保してもよい。
【００６４】
また、上記開口部１６は、上述した乳母車用カバー１１，４１のように乳母車Ａの背面側に形成するに限らず底面側に構成してもよい。いずれの場合であっても、乳児Ｂを乳母車Ａに取り付けたとき、開口部１６が収縮されるため、前面部１２ａが伸長し、乳児Ｂの視界を妨げることがない。
【００６５】
さらに、たとえ実施例１に係る乳母車用カバー１１のように、開口部１６を完全に閉塞しないで用いる構成であっても、開口部１６が背面側に位置する場合は、座席部Ａｄの背面によって、あるいは、開口部１６が底面側に有する場合は、座席部Ａｄの下側に有するカゴによって、開口部１６を閉塞できるため、虫などの侵入を防ぐことができる。
【００６６】
また、開口部１６を収縮、或いは閉塞させるべく、開口部１６の近傍を保持する手段としては、いわゆる巾着の開閉部のように紐体１８を用いた構成や、実施例２のようにスライドファスナ４３ａ，４３ｂを用いた構成に限定しない。  
例えば、紐体１８の代わりにゴム紐を用い、その弾性変形を利用して開口部１６を伸縮させる構成や、ホック、ステッチ、面ファスナなどを用いて開口部１６を閉口自在に固定する構成、さらには、これらを組み合わせた構成としてもよい。
【００６７】
同様に、底面側のスリット部２１を収縮、或いは閉塞状態に固定する手段についても、上述したように紐体２２と、ゴム紐２３を組み合わせた構成に限定せず、やはりホック、ステッチ、面ファスナなどを用いて構成してもよい。
【００６８】
上述の実施形態と、この発明の構成との対応において、この実施形態のスリット部２１は、この発明の挿通部に対応し、
以下同様に、ゴム紐２３は、弾性紐体に対応し、
前面部１２ａは、開閉部に対応するも、上述したように、この発明は、上述の実施形態の構成のみに限定されるものではなく、多くの実施の形態を得ることができる。
【図面の簡単な説明】
【００６９】
【図１】実施例１に係る乳母車用カバーを前方から視た使用状態図。
【図２】実施例１に係る乳母車用カバーの外観図。
【図３】実施例１に係る乳母車用カバーの背面図。
【図４】実施例１に係る乳母車用カバーの要部拡大図。
【図５】実施例１に係る乳母車用カバーを後方から視た使用状態図。
【図６】実施例２に係る乳母車用カバーの外観図。
【符号の説明】
【００７０】
１１，４１…乳母車用カバー
１６…開口部
１８…紐体
１２ａ…前面部
２１…スリット部
２２…紐体
２３…ゴム紐
４３ａ，４３ｂ…一対のスライドファスナ
Ａ…乳母車
Ａｃ…ハンドル
Ａｄ…座席部
【図１】
2006111039.tif 000003
【図２】
2006111039.tif 000004
【図３】
2006111039.tif 000005
【図４】
2006111039.tif 000006
【図５】
2006111039.tif 000007
【図６】
2006111039.tif 000008